(57)【特許請求の範囲】
【請求項１】
被写体の光学像を電気信号に変換する撮像素子と、
前記撮像素子の前面であって撮影光軸に配置された光学部材と、
前記被写体を観察するためのファインダ光学系に設けられたピント板と、
前記ピント板の外周を覆う枠体と、
前記撮影光軸に配置され、前記被写体の光を反射させて前記ファインダ光学系に導く反射手段とを備えた撮像装置であって、
前記光学部材の振動振幅が光軸方向となるように前記光学部材を振動させる第１の加振手段と、
前記ピント板がファインダ光軸と直交する方向に振動するように、前記ピント板と前記枠体とを一体的に振動させる第２の加振手段と、
前記第１の加振手段および第２の加振手段を駆動する駆動手段と、
前記駆動手段を制御する制御手段とを備え、
前記駆動手段は、同一の駆動回路で生成した周期電圧を前記第１の加振手段および前記第２の加振手段に印加して駆動することを特徴とする撮像装置。
【請求項２】
前記撮像装置の姿勢を検出する姿勢検出手段を備え、
前記制御手段は、前記姿勢検出手段により検出された前記撮像装置の姿勢に応じて、前記駆動手段を制御し、前記第１の加振手段または前記第２の加振手段のいずれかを優先的に駆動することを特徴とする請求項１に記載の撮像装置。
【請求項３】
前記制御手段は、前記姿勢検出手段により検出された前記撮像装置の姿勢が下向きである場合には、前記第１の加振手段を優先的に駆動し、前記姿勢検出手段により検出された前記撮像装置の姿勢が正位置である場合には、前記第２の加振手段を優先的に駆動することを特徴とする請求項２に記載の撮像装置。
【発明の詳細な説明】
【技術分野】
【０００１】
本発明は、光学部材等の表面に付着した塵埃等の異物を除去する撮像装置に関する。
【背景技術】
【０００２】
被写体像を電気信号に変換して撮像するデジタル一眼レフカメラ等の撮像装置は、撮影光束をミラーボックス内に配置されたミラーによって分岐し、ピント板に結像させる。撮影者は、ピント板に結像した像をファインダ光学系で観察しながら撮影操作を行う。撮像装置は、撮影操作の結果、撮像素子に撮影光束を受光し、その撮像素子から出力される光電変換信号を画像データに変換し、メモリカード等の記録媒体に記録する。
【０００３】
このような撮像装置では、撮像素子の被写体側に、光学ローパスフィルタや赤外吸収フィルタが配置される。これらフィルタの表面に塵埃等の異物が付着すると、その付着部分が黒い点となって撮影画像に写り込み、画像の見栄えが低下してしまう。
【０００４】
また、ピント板に塵埃等の異物が付着した場合、その付着部分が被写体像と重なり、観察像の見栄えが低下してしまう。特に、レンズ交換可能なデジタル一眼レフカメラでは、シャッタやクイックリターンミラーといった機械的な作動部が撮像素子やピント板の近傍に配置されている。これらの作動部から発生した塵埃等の異物が撮像素子やフィルタ、ピント板の表面に付着することがある。また、レンズ交換の際、レンズマウントの開口から塵埃等の異物がカメラ本体内に入り込み、これが付着することもある。
【０００５】
このような現象を回避するために、特許文献１では、光学ローパスフィルタに圧電素子を貼り付け、これを振動させることにより表面に付着した塵埃等の異物を自動的に除去する技術が提案されている。一方、ピント板に塵埃等の異物が付着した場合、従来からブロアーによって吹き飛ばす作業が行われている。
【特許文献１】特開２００７−１２９６４２号公報
【発明の開示】
【発明が解決しようとする課題】
【０００６】
しかしながら、前述したように、従来から撮像素子側に付着した塵埃等の除去技術は提案されているが、ピント板側に付いた塵埃等を自動的に除去する技術は提案されていなかった。このため、撮影者はブロアー等による除去作業を余儀なくされ、もしブロアーが無ければ塵埃等を除去することが困難で、見苦しい思いをしていた。
【０００７】
また、仮にブロアーがあったとしても、ピント板に塵埃等が付いていることに気づくのは、撮影レンズが装着されている場合が大半であるので、いちいち撮影レンズを取り外さなければ除去作業を行うことができず、煩わしい思いをしていた。
【０００８】
そこで、本発明は、材質や表面状態が異なるピント板と光学部材のそれぞれに対し、付着した塵埃等の異物を自動で効果的に落とす振動を与えることができる撮像装置を提供することを目的とする。
【課題を解決するための手段】
【０００９】
上記目的を達成するために、本発明の撮像装置は、被写体の光学像を電気信号に変換する撮像素子と、前記撮像素子の前面であって撮影光軸に配置された光学部材と、前記被写体を観察するためのファインダ光学系に設けられたピント板と、前記ピント板の外周を覆う枠体と、前記撮影光軸に配置され、前記被写体の光を反射させて前記ファインダ光学系に導く反射手段とを備えた撮像装置であって、前記光学部材の振動振幅が光軸方向となるように前記光学部材を振動させる第１の加振手段と、前記ピント板がファインダ光軸と直交する方向に振動するように、前記ピント板と前記枠体とを一体的に振動させる第２の加振手段と、前記第１の加振手段および第２の加振手段を駆動する駆動手段と、前記駆動手段を制御する制御手段とを備え、前記駆動手段は、同一の駆動回路で生成した周期電圧を前記第１の加振手段および前記第２の加振手段に印加して駆動することを特徴とする。
【発明の効果】
【００１１】
本発明に係る撮像装置によれば、ピント板と光学部材の振動形態が異なるので、材質や表面状態が異なるピント板と光学部材のそれぞれに対し、付着した塵埃等の異物を自動で効果的に落とす振動を与えることができる。
【発明を実施するための最良の形態】
【００１２】
本発明の撮像装置の実施の形態について図面を参照しながら説明する。
【００１３】
［第１の実施形態］
図１は第１の実施形態におけるデジタル一眼レフカメラの構造を示す中央断面図である。図１において、カメラ本体１０１に対して着脱可能な交換レンズ２０１は、カメラ側のマウント部１０２と交換レンズ側のマウント部２０２によって固定される。交換レンズ２０１が装着されると、カメラ本体１０１の接点部１０３と交換レンズ２０１の接点部２０３とが接触する。これにより電気的な接続がなされ、カメラ本体１０１は交換レンズ２０１が装着されたことを検知する。さらに、この接点部１０３および接点部２０３を介して、カメラ本体１０１から交換レンズ２０１へ電力の供給や交換レンズ２０１を制御するための通信が行われる。
【００１４】
交換レンズ２０１の撮影レンズ２０４を透過した光束は、カメラ本体１０１のメインミラー１０４に入射する。このメインミラー１０４（反射手段に相当）はハーフミラーとなっており、メインミラー１０４により反射された光束はファインダ側へと導かれ、透過した光束は、サブミラー１０５により下方へ反射され、焦点検出ユニット１０６へと導かれる。
【００１５】
この焦点検出ユニット１０６は、撮影レンズ２０４のデフォーカス量を検出し、撮影レンズ２０４を合焦状態にするための撮影レンズ２０４の駆動量を演算する。そして、その駆動量が接点部１０３および接点部２０３を介して交換レンズ２０１に伝えられると、交換レンズ２０１は、不図示のモータを制御し、撮影レンズ２０４の一部であるフォーカスレンズを移動させて焦点調節を行う。
【００１６】
メインミラー１０４は、メインミラー保持枠１０７に固着され、ヒンジ軸１０８によって回動可能に軸支されている。また、サブミラー１０５は、サブミラー保持枠１０９に固着され、サブミラー保持枠１０９は、不図示のヒンジ軸によってメインミラー保持枠１０７に対して回動可能に軸支されている。
【００１７】
メインミラー１０４によってファインダ側へと導かれた光束は、ピント板１０に被写体像として結像する。ピント板１０は、ゴム部材１４（被写体側）と圧電素子１５（撮像素子側）に挟まれて保持された金属枠１３内に設けられた支持枠１７に固定される（図３参照）。そして、撮影者がペンタプリズム１１および接眼レンズ１２を介してピント板１０上の被写体像を観察できるように、ファインダ光学系は構成されている。
【００１８】
また、サブミラー１０５の後方にはシャッタ１１３が配置されており、シャッタ１１３を構成するシャッタ幕１１４は通常閉じた状態になっている。このシャッタ１１３の後方には、光学ローパスフィルタ１１０が配置されている。さらに、光学ローパスフィルタ１１０の後方には、撮像素子ホルダ１１５によって保持された撮像素子１１６と、撮像素子１１６を保護するカバー部材（保護部材）１１７が配置されている。
【００１９】
ゴム部材（弾性部材）１１１は、光学ローパスフィルタ１１０を保持すると共に、光学ローパスフィルタ１１０と撮像素子１１６の間を密閉するためのゴム部材である。これにより、光学ローパスフィルタ１１０の振動を阻害することなく、周囲へ伝達される振動を減衰させ、かつ撮像素子１１６へ異物が侵入することを防止している。そして、撮影時には、この光学ローパスフィルタ１１０を透過した光束が、撮像素子１１６へと入射する。また、ゴム部材１１１は、ゴム製に限らず、スポンジやゲル状物質、所定の厚みを有する両面テープなど、弾性を有するものであれよい。
【００２０】
操作部３２は、ピント板１０と光学ローパスフィルタ１１０に付着した異物を除去するために、カメラ本体１０１をクリーニングモードに設定可能である。
【００２１】
図２はデジタル一眼レフカメラの電気的構成を示すブロック図である。図２において、交換レンズ２０１は被写体像（被写体の光学像）を結像させるためのものである。絞り１２２は交換レンズ２０１中に備えられ、撮像素子１１６に入射する光量を調節するためのものである。撮像素子１１６は被写体像を光電変換するためのものである。
【００２２】
交換レンズ２０１の撮影レンズ２０４を透過した光束は、カメラ本体１０１のメインミラー１０４に入射する。このメインミラー１０４は、前述したようにハーフミラーとなっている。メインミラー１０４により反射された光束は、ゴム部材１４（被写体側）と圧電素子１５（撮像素子側）に挟まれて保持されたピント板１０に被写体像を結像する。撮影者は、ファインダ光学系で被写体像を観察することができる。ここで、圧電素子１５は第２の加振手段に相当する。
【００２３】
撮像素子１１６の前面には、光学ローパスフィルタ１１０が近接して配置されており、光学ローパスフィルタ１１０の表面に異物が付着すると、影となって撮像素子１１６上の被写体像に写りこむ。光学ローパスフィルタ１１０の表面には、この光学ローパスフィルタ１１０を振動させ、付着した異物を除去する圧電素子１１０ａが配置されている。ピント板１０側の圧電素子１５と光学ローパスフィルタ１１０側の圧電素子１１０ａには、この圧電素子１１０ａを駆動するための圧電素子駆動部３０１が接続されている。ここで、圧電素子１１０ａは第１の加振手段に相当する。
【００２４】
Ａ／Ｄコンバータ３０２は、撮像素子１１６から出力されるアナログ画像信号をデジタル画像信号に変換する。画像処理装置３０３は、Ａ／Ｄコンバータ３０２から出力されるデジタル画像信号を処理する。また、レンズ系制御部３０４は、交換レンズ２０１のレンズ位置や絞りの開度を制御する。各種センサ３０５はＡＦ（オートフォーカス）センサ、ＡＥ（自動露出）センサなどである。姿勢検出センサ３１０はカメラ本体１０１の姿勢を検知する。
【００２５】
さらに、カメラ制御部３０６はデジタル一眼レフカメラ全体の動作を制御する。Ｉ／Ｏ３０７はシャッタボタン、撮影モード選択ダイヤル、操作部３２などとの入出力インタフェースである。外部表示器３０８は、カメラ本体１０１の設定、情報、撮影した画像等の表示を行う。メモリ３０９は撮影画像や種々の情報を記憶する。
【００２６】
ユーザの操作はＩ／Ｏ３０７を介して取得され、ユーザの動作によって電源ＯＮ／ＯＦＦ、撮影動作などが行われる。撮影動作が指示された場合、各種センサ３０５や撮像素子１１６から得られる情報に基づき、カメラ制御部３０６は適切な撮影条件を決定し、レンズ系制御部３０４を介して適切なレンズ位置などを設定する。露光後に撮像素子１１６の出力信号をＡ／Ｄコンバータ３０２を介してデジタル化した後、カメラ制御部３０６は、画像処理装置３０３で適切な画像処理を施してメモリ３０９に保存する。また必要な場合、カメラ制御部３０６は、撮像素子１１６の出力信号を外部表示器３０８に表示する。画像処理装置３０３は、ホワイトバランス調整、ＲＧＢ現像、圧縮符号化等の処理を行う。
【００２７】
つぎに、ピント板１０の異物除去部の構成について詳細に説明する。図３はピント板ユニットの構成を示す図である。同図（ｂ）はピント板ユニットの平面図である。同図（ａ）は同図（ｂ）における矢印Ａ−Ａ線断面図である。
【００２８】
ピント板１０は光学ローパスフィルタ１１０と異なり、その材質が一般的にプラスチックモールド製のもので、その表面にフレネル形状等の凹凸を有している。このため、光学ローパスフィルタ１１０のように、圧電素子をピント板に直接貼り付けて光学ローパスフィルタと同一駆動回路で振動させても、効果的に振動させることができない。
【００２９】
そこで、本実施形態では、ピント板１０を、その外周に設けられ、支持枠１７を介して銅や鉄といった比較的比重の大きな材料で作られた金属枠１３（枠体に相当）に組み付け、ピント板ユニットを形成する。そして、金属枠１３を挟み込むように、その両側でゴム部材１４（被写体側）と圧電素子１５（撮像素子側）を固着し、ピント板ユニットをミラーボックス内に固定する。このようにすることで、ピント板を剛体のように扱うことができ、光学ローパスフィルタ１１０と同一の駆動回路で振動を与えることができる。
【００３０】
ここで、ピント板１０を加振する場合、圧電素子１５に電圧を印加すると、圧電素子１５は撮影光軸１と同方向に伸縮振動し、金属枠１３をミラーボックスに対して相対的に変位させる。このとき、金属枠１３に一体的に組み付けられたピント板１０は、ファインダ光軸１ａ（図１参照）と直交する方向に、金属枠１３と一体的に振動する。これにより、ピント板１０の表面に付着した異物をふるい落とすことができる。
【００３１】
つぎに、光学ローパスフィルタ１１０の異物除去部の構成について詳細に説明する。図４は撮像ユニットの構成を示す分解斜視図である。
【００３２】
圧電素子１１０ａは単板の矩形（短冊形状）を有する。光学ローパスフィルタ１１０の周縁部１１０ｂにおいて、圧電素子１１０ａは、その長辺が光学ローパスフィルタ１１０の短辺（側辺）と平行になるように配置され、光学ローパスフィルタ１１０に固着される。この圧電素子１１０ａは光学部材を振動させる振動源となる。すなわち、圧電素子１１０ａは、光学ローパスフィルタ１１０の四辺のうち一辺に近接して平行に固着され、その一辺に平行な複数の節部を有するように、光学ローパスフィルタ１１０を波状に振動させる。
【００３３】
光学ローパスフィルタ保持部材１１７は、樹脂製または金属製のものであり、光学ローパスフィルタ１１０を保持し、撮像素子ホルダ１１５にビスで固定される。圧電素子用フレキシブルプリント基板１２１は圧電素子１１０ａに電圧を印加するためのものであり、圧電素子１１０ａに接着で固定される。圧電素子１１０ａは、電圧の印加により光軸に直交する方向に伸縮振動し、光学ローパスフィルタ１１０を共振させる。これにより、光学ローパスフィルタ１１０の表面に付着した異物をふるい落とすことができる。
【００３４】
付勢部材１１８は、光学ローパスフィルタ１１０の撮影有効領域１１０ｃの４ヶ所において当接し、光学ローパスフィルタ１１０を光軸方向に付勢し、光学ローパスフィルタ保持部材１１７に係止される。また、光学ローパスフィルタ１１０の表面（光学的なコーティングが施された面）は、付勢部材１１８を介してグランドに接続されているため、静電気の発生を抑え、光学ローパスフィルタ１１０への塵埃等の付着を抑制することができる。
【００３５】
弾性部材１１１は、その断面が略円形の枠状のものであり、光学ローパスフィルタ１１０と光学ローパスフィルタ保持部材１１７とで挟まれ、密着して保持される。なお、弾性部材１１１の材質は、本実施形態のようにゴムでもよいし、弾性体であれば、ポロンやプラスチック等の高分子重合体を用いたものでもよい。
【００３６】
赤外カットフィルタ１２３は、有害な赤外光をカットするためのフィルタであり、光学ローパスフィルタ保持部材１１７に接着で固定される。
【００３７】
撮像素子ホルダ１１５は、矩形の開口部を有する板状のものであり、その開口部から撮像素子１１６が露出するように、撮像素子１１６を固着させる。撮像素子ホルダ１１５の周縁部には、撮像素子ホルダ１１５をミラーボックスに３ヵ所ビスで固定するための腕部１１５ａが設けられている。
【００３８】
マスク１１９は、撮像素子１１６に撮影光路外からの余計な光が入射することを防ぐためのものであり、光学ローパスフィルタ保持部材１１７と撮像素子１１６とで挟まれ、密着して保持される。撮像素子付勢部材１２０は、左右一対の板バネ状のものであり、撮像素子ホルダ１１５にビスで固定され、撮像素子１１６を撮像素子ホルダ１１５に押し付ける。このような構成をとることにより、光学ローパスフィルタ１１０は、付勢部材１１８と弾性部材１１１とで挟み込まれて振動自在に支持される。
【００３９】
上記構成を有するデジタル一眼レフカメラにおいて、ピント板１０と光学ローパスフィルタ１１０の異物除去の動作を示す。図５はピント板１０と光学ローパスフィルタ１１０の異物除去の動作手順を示すフローチャートである。この処理プログラムはカメラ制御部３０６内のＲＯＭに格納されており、カメラ制御部３０６内のＣＰＵによって所定の周期で実行される。
【００４０】
カメラ本体１０１内のカメラ制御部３０６は、使用者により操作部３２が操作されたか否かを判別する（ステップＳ１）。使用者により操作部３２が操作されなかったと判別された場合、カメラ制御部３０６は本動作を終了する。
【００４１】
一方、ステップＳ１で操作部３２が操作されると、カメラ制御部３０６は、Ｉ／Ｏ３０７を介して操作部３２からクリーニングモードの指令信号を受け取り、クリーニングモードに移行する（ステップＳ２）。クリーニングモードにおいて、カメラ制御部３０６は、圧電素子駆動部３０１を制御し、圧電素子１５と圧電素子１１０ａを駆動するための周期電圧を生成する。
【００４２】
カメラ制御部３０６は、姿勢検出センサ３１０の信号を検出し（ステップＳ３）、この信号からカメラ本体１０１の姿勢を判別する（ステップＳ４）。姿勢検出センサ３１０が、カメラ本体１０１が正位置であることを示す信号を出力した場合、カメラ制御部３０６は、ピント板１０の圧電素子１５を優先的に駆動させるように圧電素子駆動部３０１を制御する（ステップＳ５）。すなわち、光学ローパスフィルタ１１０の圧電素子１１０aより先にピント板１０の圧電素子１５に電圧が印加されるように、カメラ制御部３０６は圧電素子駆動部３０１を制御する。ここで、カメラ本体１０１の正位置はピント板１０に付着した異物が落下し易い姿勢であり、ピント板の異物除去に際して効果的である。この後、カメラ制御部３０６は本動作を終了する。
【００４３】
また、姿勢検出センサ３１０が、カメラ本体１０１が下向きであることを示す信号を出力した場合、カメラ制御部３０６は、光学ローパスフィルタ１１０の圧電素子１１０aを優先的に駆動させるように圧電素子駆動部３０１を制御する（ステップＳ６）。すなわち、ピント板１０の圧電素子１５より先に光学ローパスフィルタ１１０の圧電素子１１０aに電圧が印加されるように、カメラ制御部３０６は圧電素子駆動部３０１を制御する。ここで、カメラ本体１０１の下向きは、光学ローパスフィルタ１１０に付着した異物が落下し易い姿勢であり、光学ローパスフィルタの異物除去に際して効果的である。この後、カメラ制御部３０６は本動作を終了する。このように、互いに面が直交するピント板と光学ローパスフィルタの異物除去に際し、カメラ本体の姿勢に応じて効果的に制御することが可能である。なお、本実施形態では、カメラ本体１０１の姿勢に応じて、ピント板１０の圧電素子１５と光学ローパスフィルタ１１０の圧電素子１１０aを駆動するタイミングを変更したが、その他、印加される周期電圧を変更して振動の強弱を変化させるようにしてもよい。
【００４４】
また、姿勢検出センサ３１０が、カメラ本体１０１が正位置もしくは下向き以外の状態にあることを示す信号を出力した場合、カメラ制御部３０６は、クリーニングモードを脱し、圧電素子駆動部３０１への制御信号を停止する（ステップＳ７）。これにより、圧電素子駆動部３０１による圧電素子１５、１１０ａへの電圧の印加は中止される。さらに、このとき、カメラ制御部３０６は、外部表示器３０８に、姿勢状態に関する警告表示と、カメラ本体１０１の姿勢を正位置もしくは下向きに変更するように指示する表示を行う。これは、カメラ本体１０１の正位置もしくは下向き以外の姿勢は、異物除去に際して効果的でないためである。こうして、ピント板と光学ローパスフィルタの異物除去に際して効果的な姿勢を撮影者に知らせることができる。
【００４５】
カメラ制御部３０６は、この指示に従い、使用者がカメラ本体１０１を正位置もしくは下向きに変更するのを待つ（ステップＳ８）。姿勢検出センサ３１０によって、正位置もしくは下向きに変更されたことが検出されると、カメラ制御部３０６は、外部表示器３０８に、クリーニングモード復帰のために操作部３２を操作するように指示する表示を行う（ステップＳ９）。この後、カメラ制御部３０６は本動作を終了する。
【００４６】
そして、使用者がこの指示に従って操作部３２を操作すると、カメラ制御部３０６は、前述したステップＳ１、Ｓ２の処理を行い、再びクリーニングモードに移り、姿勢に応じた制御を行う。
【００４７】
ここで、ピント板１０と光学ローパスフィルタ１１０の異物除去のための振動形態は、前述したように、それぞれの構造により異なる。すなわち、ピント板１０は、金属枠１３と一体的にミラーボックスに対して相対的に撮影光軸１と同方向に振動する定常振動を行う。なお、定常振動の代わりに、ピント板１０の外形が変化するような屈曲振動を行わせるようにしてもよい。一方、光学ローパスフィルタ１１０は、撮影光軸１と同方向に振動振幅を有する高次の屈曲定在波振動を行う。なお、定在波振動の代わりに、一定方向に波が進む進行波振動を行わせるようにしてもよい。
【００４８】
また、ピント板１０と光学ローパスフィルタ１１０を加振する際、不快な音の発生を抑えるべく、可聴域外となるような共振周波数を選ぶことが好ましい。
【００４９】
第１の実施形態のデジタル一眼レフカメラによれば、ピント板と光学ローパスフィルタの振動形態が異なるので、材質や表面状態が異なるピント板と光学ローパスフィルタのそれぞれに対し、付着した塵埃等の異物を自動で効果的に落とす振動を与えることができる。
【００５０】
また、ピント板を加振するための専用回路を必要とせず、コストの増加を防ぐことができる。また、柔らかいプラスチックモールド製で表面にフレネル形状等の凹凸を有しているピント板を、硬いガラス製で平面の光学ローパスフィルタと同一の駆動回路で振動させた際、それぞれに対し、付着した異物を効果的に落とす振動を与えることができる。また、姿勢検出センサによって、異物除去のための効果的な姿勢を検出することができる。また、互いに面が直交するピント板と光学ローパスフィルタの異物除去に際し、効果的な姿勢で制御することが可能である。また、ピント板と光学ローパスフィルタの異物除去に際し、効果的な姿勢を撮影者に知らせることができる。
【００５１】
［第２の実施形態］
図６は第２の実施形態におけるデジタル一眼レフカメラの電気的構成を示すブロック図である。図７はピント板ユニットの構成を示す図である。同図（ｂ）はピント板ユニットの平面図である。同図（ａ）は同図（ｂ）における矢印Ｂ−Ｂ線断面図である。前記第１の実施形態と同一の構成要素についは、同一の符号を用いることによりその説明を省略する。
【００５２】
第２の実施形態では、前記第１の実施形態と比べ、ピント板ユニットの構成が異なり、金属枠は両側の圧電素子で挟み込まれている。前記第１の実施形態と同様、ピント板２０を、固定枠２４を介して銅や鉄といった比較的比重の大きな材料で作られた金属枠２３に組み付け、ピント板ユニットを形成する。そして、２つの圧電素子２２（被写体側）と圧電素子２１（撮像素子側）を、金属枠２３を挟み込むように固着し、ピント板ユニットをミラーボックス内に固定する。
【００５３】
ここで、ピント板２０の異物除去の動作について説明する。前記第１の実施形態と同様、カメラ本体１０１のカメラ制御部３０６は、使用者により操作部３２が操作されると、クリーニングモードに移行する。カメラ制御部３０６は、Ｉ／Ｏ３０７を介して操作部３２からクリーニングモードの指令信号を受け取ると、圧電素子駆動部３０１を制御し、圧電素子２１、２２と圧電素子１１０ａを駆動するための周期電圧を生成する。
【００５４】
図８はピント板２０の振動形態を示す図である。同図（ａ）は、圧電素子２１、２２に周期電圧が印加されていない状態を示す。ピント板２０の圧電素子２１、２２に周期電圧が印加されると、圧電素子２２は縮み、圧電素子２１は伸び、ピント板２０は全体的に被写体側へ移動する（同図（ｂ）参照）。
【００５５】
その後、電圧が反転すると、圧電素子２２は伸び、圧電素子２１は縮み、ピント板２０は全体的に撮影素子側へ移動する（同図（ｃ）、（ｄ）参照）。さらに、この状態から電圧が反転すると、再び圧電素子２２は縮み、圧電素子２１は伸び、ピント板２０は全体的に被写体側へ移動する（同図（ａ）、（ｂ）参照）。こうして振動が繰り返される。
【００５６】
上記振動形態により、ピント板２０を全体的に振動させ、その表面に付着した異物をふるい落とすことができる。
【００５７】
なお、姿勢に応じた振動制御および光学ローパスフィルタの振動制御については、前記第１の実施形態と同様であるので、その詳細な説明を省略する。
【００５８】
第２の実施形態のデジタル一眼レフカメラによれば、２つの圧電素子２２（被写体側）と圧電素子２１（撮像素子側）を用いることで、ピント板２０の振動をより確実なものにすることができる。
【００５９】
なお、本発明は、上記実施形態の構成に限られるものではなく、特許請求の範囲で示した機能、または本実施形態の構成が持つ機能が達成できる構成であればどのようなものであっても適用可能である。
【００６０】
例えば、上記実施形態では、撮像素子の前に配置される光学部材として、光学ローパスフィルタである場合を示したが、赤外吸収フィルタなど、その他の光学部材であってもよい。
【図面の簡単な説明】
【００６１】
【図１】第１の実施形態におけるデジタル一眼レフカメラの構造を示す中央断面図である。
【図２】デジタル一眼レフカメラの電気的構成を示すブロック図である。
【図３】ピント板ユニットの構成を示す図である。
【図４】撮像ユニットの構成を示す分解斜視図である。
【図５】ピント板１０と光学ローパスフィルタ１１０の異物除去の動作手順を示すフローチャートである。
【図６】第２の実施形態におけるデジタル一眼レフカメラの電気的構成を示すブロック図である。
【図７】ピント板ユニットの構成を示す図である。
【図８】ピント板２０の振動形態を示す図である。
【符号の説明】
【００６２】
１  撮影光軸
１ａ  ファインダ光軸
１０、２０  ピント板
１５、２１、２２、１１０ａ  圧電素子
３２  操作部
１１０  光学ローパスフィルタ
３０１  圧電素子駆動部
３０６  カメラ制御部
３０８  外部表示器
３１０  姿勢検出センサ
【図１】
0005100367.tif 000002
【図２】
0005100367.tif 000003
【図３】
0005100367.tif 000004
【図４】
0005100367.tif 000005
【図５】
0005100367.tif 000006
【図６】
0005100367.tif 000007
【図７】
0005100367.tif 000008
【図８】
0005100367.tif 000009